(57)【要約】【課題】ユーザは簡単に自分が希望する住宅の設計を行うことができると共に、住宅メーカにとっては住宅展示場にユーザが再び足を運んで貰うことができる住宅設計システムを提供する。【解決手段】ユーザが所有するコンピュータに住宅展示場から入手した簡易設計プログラムを記憶させて、これによって住宅の平面図を設計し、住宅展示場にあるコンピュータに記憶された詳細設計プログラムによって、前記設計した平面図に基づいて住宅の三次元画像を再生するものである。【選択図】　　　　図１
2004102535.tif 000002
【特許請求の範囲】
【請求項１】
住宅の設計をコンピュータによって行う住宅設計システムにおいて、
住宅を建築するユーザが所有するコンピュータに記憶された簡易設計プログラムによって、前記住宅の平面図を設計し、
住宅展示場にあるコンピュータに記憶された詳細設計プログラムによって、前記設計した平面図に基づいて住宅の三次元画像を再生する
ことを特徴とする住宅設計システム。
【請求項２】
住宅の設計をコンピュータによって行う住宅設計プログラムにおいて、
住宅の平面図を設計する簡易設計機能と、
前記設計した平面図に基づいて住宅の三次元画像を再生する詳細設計機能と、
を実現する
ことを特徴とする住宅設計プログラム。
【請求項３】
前記簡易設計機能は、
住宅の基本的な間取りを示した複数の基本プランを記憶する基本プラン記憶機能と、
前記記憶した複数の基本プランの中から選択された一の基本プランの平面図を少なくとも表示する規定プラン実行機能と、
前記記憶した複数の基本プランの中から選択された一の基本プランの間取りを変更して、その変更した平面図を表示するフリープラン実行機能と、
複数の部屋の大きさと役割と配置をそれぞれ決定し、その決定した平面図を表示する新規作成実行機構と、
を実現する
ことを特徴とする請求項２記載の住宅設計プログラム。
【請求項４】
住宅の設計をコンピュータによって行う住宅設計プログラムにおいて、
住宅を建築するユーザの個人情報を記録する機能と、
前記住宅の平面図を記録する機能と、
前記平面図に基づいて再生した前記住宅の三次元画像を記録する機能と、
前記住宅の設計図と見積情報を記録する機能と、
前記住宅の工事着工から完成までの住宅の画像、前記画像を撮影した日時と位置と、撮影した内容に関する情報を工事状態情報として記録する機能と、
を実現する
ことを特徴とする住宅設計プログラム。
【発明の詳細な説明】
【０００１】
【発明の属する技術分野】
本発明は、住宅設計システム及びそれに使用される住宅設計プログラムに関するものである。
【０００２】
【従来の技術】
従来より、住宅メーカーが、ユーザの希望に沿って住宅設計のシュミレーションを行う住宅設計プログラムのソフトが提案されている（特許文献１）。
【０００３】
このような住宅設計プログラムは、ユーザが希望する間取りや、外観図を表示することができると共に、住宅の三次元画像も表示することができる。
【０００４】
ところが、このような住宅設計プログラムは、その操作が難しく、住宅メーカの社員などが操作を行う必要がある。
【０００５】
【特許文献１】
特開２０００−２３５５８７
【０００６】
【発明が解決しようとする課題】
ところで、住宅メーカは、自社の基本的な住宅プランをユーザに実際に示すために住宅展示場をそれぞれ有している。ユーザは、住宅を建築する場合にはこの住宅展示場に展示されている住宅を見て、それぞれユーザが希望する住宅を注文し契約する。
【０００７】
しかしながら、住宅メーカはこの住宅展示場に多額の投資をしているにもかかわらず、住宅展示場を訪れるユーザの数を増やすことが難しく、特に本当に住宅を持ちたいと思うユーザのリピータを呼ぶことが難しいという問題点がある。
【０００８】
そこで、本発明は上記問題点に鑑み、ユーザは簡単に自分が希望する住宅の設計を行うことができると共に、住宅メーカにとっては住宅展示場にユーザが再び足を運んで貰うことができる住宅設計システム及びそれに使用される住宅設計プログラムを提供するものである。
【０００９】
【課題を解決するための手段】
請求項１の発明は、住宅の設計をコンピュータによって行う住宅設計システムにおいて、住宅を建築するユーザが所有するコンピュータに記憶された簡易設計プログラムによって、前記住宅の平面図を設計し、住宅展示場にあるコンピュータに記憶された詳細設計プログラムによって、前記設計した平面図に基づいて住宅の三次元画像を再生することを特徴とする住宅設計システムである。
【００１０】
請求項２の発明は、住宅の設計をコンピュータによって行う住宅設計プログラムにおいて、住宅の平面図を設計する簡易設計機能と、前記設計した平面図に基づいて住宅の三次元画像を再生する詳細設計機能と、を実現することを特徴とする住宅設計プログラムである。
【００１１】
請求項３の発明は、前記簡易設計機能は、住宅の基本的な間取りを示した複数の基本プランを記憶する基本プラン記憶機能と、前記記憶した複数の基本プランの中から選択された一の基本プランの平面図を少なくとも表示する規定プラン実行機能と、前記記憶した複数の基本プランの中から選択された一の基本プランの間取りを変更して、その変更した平面図を表示するフリープラン実行機能と、複数の部屋の大きさと役割と配置をそれぞれ決定し、その決定した平面図を表示する新規作成実行機構と、を実現することを特徴とする請求項２記載の住宅設計プログラムである。
【００１２】
請求項４の発明は、住宅の設計をコンピュータによって行う住宅設計プログラムにおいて、住宅を建築するユーザの個人情報を記録する機能と、前記住宅の平面図を記録する機能と、前記平面図に基づいて再生した前記住宅の三次元画像を記録する機能と、前記住宅の設計図と見積情報を記録する機能と、前記住宅の工事着工から完成までの住宅の画像、前記画像を撮影した日時と位置と、撮影した内容に関する情報を工事状態情報として記録する機能と、を実現することを特徴とする住宅設計プログラムである。
【００１３】
【作　用】
請求項１の住宅設計システムであると、住宅を建築するユーザは、住宅展示場を訪れた時に、簡易設計プログラムが記憶されている記録媒体を住宅メーカから貰い、その簡易設計プログラムを自己が所有するコンピュータに記憶させる。そして、この簡易設計プログラムによって住宅の平面図を設計する。
【００１４】
そして、ユーザが本当にその住宅の建築を希望する場合には設計した住宅の平面図を記憶した記録媒体を持って住宅展示場を再び訪れる。そしてこの記録媒体に記憶されている住宅の平面図を住宅展示場にあるコンピュータに記憶された詳細設計プログラムによって、三次元画像に再生し直す。これによって、ユーザは、自己が建築したい住宅の三次元画像を見ることができ、また、住宅メーカにとっては住宅展示場に再び訪れて貰うことができる。
【００１５】
また、請求項４の住宅設計プログラムにおいては、住宅を建築するユーザの個人情報を記録し、住宅の平面図を記録し、住宅の三次元画像を記録し、住宅の設計図と見積情報を記録し、住宅の工事着工から完成までの住宅の画像、その撮影した日時と位置、撮影した内容に関する情報を工事状態情報として記録する。そしてこの記録した記録媒体をユーザと住宅メーカがそれぞれ所有しておく。これによって、ユーザは自己が建築した住宅の完成までの経歴を見ることができ、修理やリホームを行う場合に、その住宅に関する情報を容易に入手することができる。また、住宅メーカにとっては、住宅メーカのお客であるユーザの住宅に関する情報を一つにまとめて保存することができる。
【００１６】
【発明の実施の形態】
以下、本発明の一実施例を図１から図４に基づいて説明する。
【００１７】
（１）住宅設計システム１０の概要
図１のブロック図及び図２のフローチャートに基づいて、住宅設計システム１０の概要について説明する。
【００１８】
ステップ１において、ユーザが住宅を購入するために、住宅メーカが設けている住宅展示場を訪問する。
【００１９】
ステップ２において、ユーザは住宅展示場にある住宅を見物すると共に、その住宅展示場で、住宅の簡単な設計を行うことができる簡易設計プログラムを記憶したＣＤ−ＲＯＭ（または、データ追記型のＣＤであるＣＤ−ＲＷ（商標）でもよい）を無料で入手して、自宅に持ち帰る。
【００２０】
ステップ３において、ユーザが自宅に所有するパソコン１２によって、前記簡易設計プログラムを用いて自分が希望する住宅の平面図を設計し、液晶表示装置やＣＲＴなどの表示装置１４に表示すると共に、プリンタ１６でプリントアウトする。また、ユーザのパソコン１２において、その設計した平面図をフレキシブルディスク（以下、ＦＤという）に記憶させる。なお、簡易設計プログラムを記憶したものがＣＤ−ＲＷのときは、この記憶媒体に記憶させてもよい。
【００２１】
ステップ４において、ユーザが自分が設計した住宅の詳細な内容を見るために、住宅展示場へ再び訪れ、住宅メーカのパソコン１６にその設計データをＦＤ（または、ＣＤ−ＲＷ）から移行させる。そして、住宅メーカのパソコン１８で、その設計した住宅の三次元画像等を表示装置２０で表示すると共に、プリンタ２２でプリントアウトする。
【００２２】
ステップ５において、ユーザが住宅の建築を住宅メーカと契約し、住宅メーカが前記設計データに基づいて設計図面を作成する。
【００２３】
ステップ６において、住宅メーカは、住宅の建築中に、その住宅の工事着工から完成までの状態を記録するために、工事中の住宅の画像を撮影する。そして、その工事中の画像を、撮影した日時と位置と共に記録する。
【００２４】
ステップ７において、住宅が完成すると、その記念に住宅メーカがユーザへ住宅の完成までの内容を記録した住宅完成記念記録媒体であるＣＤ−ＲＯＭを進呈する。この住宅完成記念記録媒体には、ユーザが設計した設計図、三次元情報、設計図、見積書、住宅の建築中における工事状態の画像等が記録されている。
【００２５】
以上のような流れによって、以下のような効果がある。
【００２６】
ユーザにとっては、簡易設計プログラムを用いることにより自己の希望する住宅を自分自身で設計することができる。また、詳細な内容を再現したい場合には、住宅展示場へ訪れることによって三次元画像等を見ることができる。
【００２７】
住宅メーカにとっては、詳細なデータを再現するためにユーザが再び住宅展示場に訪れるため、住宅展示場へのリピータ率を高めることができる。
【００２８】
住宅完成までの情報を住宅完成記念記録媒体に記録することにより、ユーザは住宅が完成するまでの状態を記念に保存することができる。また、住宅の修理やリフォームの時に、その設計図や工事状態を参考に容易に修理等を行うことができる。
【００２９】
また、住宅メーカにとってはその住宅完成記念記録媒体を保存することにより、ユーザのデータ管理を行うことができる。
【００３０】
（２）ステップ３からステップ４における詳細な説明
上記においては、住宅設計システムの概要を説明したが、次に図３に基づいて、ユーザが簡易設計プログラムを使って住宅を設計し、さらに住宅展示場のパソコン１８を用いて詳細な設計データを再生する処理について説明する。
【００３１】
ステップ１１において、ユーザのパソコン１２に、住宅展示場で手に入れた簡易設計プログラムをインストールし、起動させる。この簡易設計プログラムは、住宅展示場においてＣＤ−ＲＯＭ等に記憶させておき、無料で訪れたユーザに配布するものである。
【００３２】
ステップ１２において、ユーザが住宅を設計する場合の方法を選択するプラン設計画面が表示される。このプラン設計画面においては、規定プラン、フリープラン、新規作成の３つの選択肢から設計方法を選択することができる。
【００３３】
ステップ１３においては、規定プランが選択されたとする。「規定プラン」とは、予め簡易設計プログラムのデータの中に記録されている住宅の基本的な間取りを示した基本プランを選択するプランである。
【００３４】
ステップ１４において、画面に表示された複数の基本プランの中から、ユーザが希望する基本プランを選択する。この基本プランの選択方法を図５から図８に基づいて説明する。
【００３５】
第１の選択は、図５に示すように、外観イメージを選択する。すなわち、洋風、現代和風、どちらでもないから選択する。
【００３６】
第２の選択は、図５に示すように、住宅の階数を選択する。すなわち、２階建、３階建、平屋建から選択する。
【００３７】
第３の選択は、図５に示すように、バルコニーを選択する。すなわち、バルコニーが必要か、不必要か、どちらでもよいかを選択する。
【００３８】
第４の選択は、図５に示すように、玄関の方向を選択する。すなわち、東、西、南、北、こだわらないかを選択する。
【００３９】
第６の選択は、図６に示すように、間取りを選択する。すなわち、３ＬＤＫ、４ＬＤＫ、５ＬＤＫ、６ＬＤＫ、こだわらないから選択する。
【００４０】
第７の選択は、図６に示すように、２世帯住宅、単世帯住宅、こだわらないかを選択する。
【００４１】
第８の選択は、図６に示すように、キッチンのタイプを選択する。すなわち、こだわらない、オープンキッチン、対面キッチン、独立キッチンかを選択する。
【００４２】
ステップ１５において、以上選択された選択肢に応じて、簡易設計プログラムに記憶されている基本プランを呼出し、図７に示すように、その住宅の平面図と三次元画像の外観の画像を表示する。そして、ステップ２２に移行する。
【００４３】
ステップ１６において、フリープランが選択されたとして、ステップ１７に移行する。
【００４４】
ステップ１７において、規定プランと同様に、基本プランをまず一つ選択し、その次にこの基本プランを変更する。すなわち、基本プランにおいて表示されている図８に示すような平面図に基づいて、下記の変更を行うことができる。
【００４５】
第１の変更は、ゾーニングを行うことができる。ゾーニングとは、リビング、洋室、和室等の部屋の追加及び編集等である。
【００４６】
第２の変更は、建具の変更を行うことができる。すなわち、玄関、窓、室内のドア等の配置を編集できる。
【００４７】
第３の変更は、設備及びインテリアの編集を行うことができる。すなわち、キッチン、浴室、洗面所等の配置を行うことができる。
【００４８】
第４の変更は、照明の配置を行うことができる。
【００４９】
第５の変更は、部屋と部屋の境目の壁の削除を行うことができる。
【００５０】
ステップ１８において、以上によって変更した基本プラン（以下、変更プランという）の平面図を再生する。そしてステップ２２に進む。
【００５１】
ステップ１９においては、基本プランに基づかない新規作成が選択されたとしてステップ２０に進む。
【００５２】
ステップ２０において、画面に設計用の白紙の状態の方眼図を表示し、この方眼図における位置をクリックで指定して間取りを順番に設計していく。そして設計した各部屋に役割を決定し、平面図を作成する。
【００５３】
ステップ２１において、その設計した平面図を再生して、ステップ２２に進む。
【００５４】
ステップ２２において、ステップ１５で再生した基本プラン、または、ステップ１８で再生した変更プランの平面図、または、新規作成した平面図をＦＤに簡易設計データとして記録する。
【００５５】
ステップ２３において、その簡易設計データを記録したＦＤを持ってユーザが住宅展示場を再び訪れ、住宅メーカのパソコン１８に簡易設計データを記憶させる。
【００５６】
ステップ２４において、その保存した簡易設計データに基づいて、住宅メーカのパソコン１８が、その設計した住宅の三次元画像等の詳細設計データを再生する。
【００５７】
以上により、ユーザは自宅で簡単に自分が希望する住宅の設計を行え、住宅展示場においては詳細な三次元画像を見ることができる。
【００５８】
なお、上記実施例ではＦＤで簡易設計データを住宅メーカのパソコン１８に移行させたが、これに代えてユーザが所有するパソコン１２から住宅メーカのパソコン１８にインターネットを通じて簡易設計データを送信して、その結果を住宅展示場のパソコン１８に見にきてもよい。
【００５９】
（３）工事状態情報の記録
次に、ユーザが住宅を建築することを決定し、設計図面に基づいて住宅を工事する場合に、その工事状態情報を記録する方法について説明する。
【００６０】
住宅を建築する建築業者は、工事の進行状況に応じて、その工事現場をＧＰＳ付きカメラ２４で撮影する。このＧＰＳ付きカメラ２４としては、例えば、特開平８−３１３９８８号に開示しているＧＰＳ利用カメラ、コダック社が販売している「ＤＣ２６０Ｚｏｏｍデジタルカメラ（商標）」や、富士フィルムが販売している「フジックス　デジタルカメラＤＳ−３００（商標）」である。これらＧＰＳ付きカメラ２４であると、画像と同時に撮影した位置情報を記録することができる。このように位置情報を記録するのは、建築業者による建築の際の不正を防止するためと、後から位置情報に基づいて建築した住宅を検索することができるためである。
【００６１】
そして、その位置情報を付加した画像を、その撮影した年月日、時刻のデータと、撮影している内容（例えば玄関の脇や浴室等の説明）を付加して、住宅メーカのパソコン１８に順番に工事記録状態情報を記録していく。このようにすることで、住宅の着工から完成までの各状態を順番に記録することができる。
【００６２】
なお、ＧＰＳ付きカメラ２２を使用しない場合には、パソコンにデジタルカメラとＧＰＳ装置を接続して、画像データと位置情報を同時に記録する方法であってもよい。
【００６３】
（４）住宅完成記念記録媒体の内容
次に、住宅の完成の際にユーザが住宅メーカから進呈される住宅完成記念記録媒体の内容について図９に基づいて説明する。
【００６４】
この住宅完成記念記録媒体は、ＣＤ−ＲＯＭ等の記録媒体を使い、図４に示すように、各情報を住宅メーカのパソコン１８を用いて順番に記録する。
【００６５】
ステップ３０において、ユーザが最初に住宅展示場に持ち込んだ簡易設計データを記録する。
【００６６】
ステップ３１において、住宅展示場のパソコン１８で再生した詳細設計データを記録する。
【００６７】
ステップ３２において、住宅の建設が決定し契約が済むと、その契約をしたユーザの個人情報（氏名、住所、家族構成等）と、住宅の設計図とその住宅の価格を示した見積表を記録する。
【００６８】
ステップ３３において、上記で説明した住宅の着工から完成までの工事状態情報を順番に記録する。
【００６９】
以上の情報を順番に記録した住宅完成記念記録媒体をユーザに進呈すると共に、住宅メーカも保存をしておく。
【００７０】
これによって、ユーザは自分の建築した住宅の内容を記念に保存することができると共に、その設計図や工事現場の画像を修理やリホームの際に有効に利用することができる。
【００７１】
住宅メーカにとっては、そのデータを記録することにより、ユーザの個人情報と各ユーザが所有する住宅の内容を管理することができる。
【００７２】
【発明の効果】
以上により本発明の住宅設計システムであると、ユーザは簡単に自分が希望する住宅の平面図を設計することができ、また、住宅メーカでは住宅展示場に再び訪れて貰うことができる。
【００７３】
また、住宅の着工から完成までのデータ等を記録することにより、ユーザは住宅が完成までの記念の情報を保持することができ、住宅メーカにとっては各ユーザの管理を行うことができる。
【図面の簡単な説明】
【図１】本発明の一実施例を示す住宅設計システムの構成図である。
【図２】住宅設計システムのフローチャートである。
【図３】簡易設計プログラムのフローチャートである。
【図４】住宅完成記念記録媒体の記録内容を示すフローチャートである。
【図５】外観イメージとバルコニーと階数の選択をする画面である。
【図６】間取りとキッチンのタイプを選択をする画像の図である。
【図７】基本プランのデータを示した画像の図である。
【図８】基本プランの平面図を示した図である。
【符号の説明】
１０　住宅設計システム
１２　ユーザのパソコン
１８　住宅メーカのパソコン
２４　ＧＰＳ付きカメラ
【図１】
2004102535.tif 000003
【図２】
2004102535.tif 000004
【図３】
2004102535.tif 000005
【図４】
2004102535.tif 000006
【図５】
2004102535.tif 000007
【図６】
2004102535.tif 000008
【図７】
2004102535.tif 000009
【図８】
2004102535.tif 000010